(57)【要約】      （修正有）【課題】高所に設置された埋込み式直管蛍光灯器具または直付け式直管蛍光灯器具に突合せ式ソケットまたは回転式ソケットを介して取り付けられる蛍光灯を交換できる器具を提供する。【解決手段】ポールの先端にポールと直角に設けた筒状の主軸周りで回転可能な一対のプレートを回転し、蛍光灯の保持と蛍光灯を回転式ソケットから引き抜く機構と、主軸内部で往復駆動可能な可動棒の先端で往復駆動により埋込み式直管蛍光灯器具の突合せ式ソケットの内側に押し当て、蛍光灯を引き抜くための突き当てローラーと、可動棒の後端で往復駆動により直付け式直管蛍光灯器具の突合せ式ソケットの外側に掛けて引っ張り、蛍光灯を引き抜くためのＬ字フックを備える。【選択図】図１
2014086160.tif 000002
【特許請求の範囲】
【請求項１】
高所に設置された埋込み式直管蛍光灯器具５１または直付け式直管蛍
光灯器具５２に、突合せ式ソケット５３または回転式ソケット５４を介して取り付けら
れる蛍光灯５０を、交換器具の構成部品を取り替えることなく交換できる交換器具であ
って、交換作業員が手に持つポール３１と、このポール３１の先端に、ポール３１の軸
方向に略直角に設けられる筒状の主軸１７と、この主軸１７周りに回転可能に設けられ
て、前記蛍光灯５０を間に挟み込んで保持する一対のプレート７、８と、これらプレー
ト７、８に設けられ前記蛍光灯５０との摩擦を大きくして前記保持を可能にするクッシ
ョンゴム９、１０と、前記筒状の主軸１７の内部に同軸に設けられ往復駆動可能な可動
棒６と、この可動棒６の先端に設けられ、前記往復駆動により、前記押込み式直管蛍光
灯器具５１の突合せ式ソケット５３の内側に押し当てることでその反力で蛍光灯５０を
突合せ式ソケット５３から引き抜くための突き当てローラー１と、前記可動棒６の後端
に設けられ、前記往復運動により、直付け式直管蛍光灯器具５２の突合せ式ソケット５
３の外側に掛けて引っ張ることでその反力で蛍光灯５０を突合せ式ソケット５３から引
き抜くためのＬ字フック２と、前記可動棒６を前記ポール３１の手元で往復駆動するた
めの第１ワイヤー機構と、前記ポール３１の手元で前記一対のプレート７、８を前記主
軸１７周りに回転し、埋込み式直管蛍光灯器具５１または直付け式直管蛍光灯器具５２
の蛍光灯５０を保持するためと蛍光灯５０を回転させて回転式ソケット５４から引き抜
くための、第２ワイヤー機構と、を備えたことを特徴とする蛍光灯交換器具。
【請求項２】
前記ポール３１の手元のステー３０に同軸に設けられ、ワイヤーを引
っ張るための回転プーリーを備えた操作レバー４、５によって、ワイヤー２５、２６を
介し、前記主軸１７周りに前記一対のプレート７、８を相反する回転方向に引っ張るこ
とにより、蛍光灯５０を挟み込んで保持するためと、前記操作レバー４、５の相対的な
回転の動きを逆回転防止機構３４によって固定させ、前記ワイヤー２５、２６を一本に
繋がったワイヤーと等価に回転作動させることで、前記回転式ソケット５４に装着され
ている蛍光灯５０に対し、前記操作レバー４、５の回転を与えて交換するための、前記
第２ワイヤー機構を備えたことを特徴とする請求項１記載の蛍光灯交換器具である。
【請求項３】
前記ポール３１の手元のステー２９に設けられ、ワイヤーを引っ張る
ための回転プーリー溝を備えた操作レバー３の回転をワイヤー２４を介して前記可動棒
６に与えることができる前記第１ワイヤー機構と、前記可動棒６の先端に蝶ナット３２
で締め付けられる前記突き当てローラー１と、前記可動棒６の後端に蝶ナット３３で締
め付けられる前記Ｌ字フック２とを、前記蝶ナットを緩めて取付角度を変えて用いるこ
とにより、前記突合せ式ソケット５３を備えた前記埋込み式直管蛍光灯器具５１と、前
記突合せ式ソケットを備えた前記直付け式直管蛍光灯器具５２の双方の蛍光灯の交換が
できることを特徴とする請求項１記載の蛍光灯交換器具。
【請求項４】
前記突き当てローラー１に樹脂製ローラーを用いることによって、突
合せ式ソケット５３を備えた前記埋込み式直管蛍光灯器具５１の蛍光灯５０を交換する
際に、ころを利用することによって、蛍光灯器具や蛍光灯交換器具に摩擦、ねじれ等の
無理な力を与えることなく、スムースな蛍光灯の交換ができることを特徴とする請求項
１記載の蛍光灯交換器具。
【発明の詳細な説明】
【技術分野】
【０００１】
この発明は、突合せ式ソケットまたは回転式ソケットを備えた直管蛍光灯器具の蛍光
灯の交換器具に関するものである。
【背景技術】
【０００２】
高所に設置された直管蛍光灯器具の交換器具としていくつかの文献が公表されている
。直管蛍光灯器具にはソケットが突合せ式のタイプと回転式のタイプがあり、また蛍光
灯器具の形状が埋込み式のタイプと直付け式のタイプがあることから、各々のタイプに
合わせて様々な交換器具が考案されている。
【先行技術文献】
【特許文献】
【０００３】
【特許文献１】特開２００８−３４３３２号公報
【特許文献２】特開平１１−３０７０４４号公報
【特許文献３】実開平５−３８７６２号公報
【発明の概要】
【発明が解決しようとする課題】
【０００４】
しかしながら、蛍光灯交換器具の構成部品の一部を付け替えることなく前記の全ての
タイプの蛍光灯器具の蛍光灯を交換できる交換器具はなかった。このため、複数のタイ
プの蛍光灯器具が設置されている大型の施設、事業所等においては、蛍光灯器具のタイ
プ別に交換器具を備える必要があり、購入費の負担が大きく使い勝手もよくなかった。
また、突合せ式ソケットを備えた埋込み式の蛍光灯の交換においてソケットから蛍光
灯を取り外す手段として、過去の発明では突き当て棒、突き当て爪等をソケット内側の
面に押し当てる構造であったため、蛍光灯を交換する際に突き当て棒等によって蛍光灯
器具や交換器具に摩擦、ねじれ等が発生し、蛍光灯器具や交換器具に損傷を与えてしま
う可能性があった。
そこでこの発明は、前記の全てのタイプの蛍光灯を蛍光灯器具や交換器具に損傷を与
えることなくスムースに交換ができる器具を提供することを課題とする。
【課題を解決するための手段】
【０００５】
以上の課題を解決するために、第一発明は、高所に設置された埋込み式直管蛍光灯器
具または直付け式直管蛍光灯器具に、突合せ式ソケットまたは回転式ソケットを介して
取り付けられる蛍光灯を、交換器具の構成部品を付け替えることなく交換できる交換器
具であって、交換作業員が手に持つポールと、このポールの先端に、ポールの軸方向に
略直角に設けられる筒状の主軸と、この主軸周りに回転可能に設けられて、前記蛍光灯
を間に挟み込んで保持する一対のプレートと、これらプレートに設けられ前記蛍光灯と
の摩擦を大きくして前記保持を可能にするクッションゴムと、前記筒状の主軸の内部に
同軸に設けられ往復駆動可能な可動棒と、この可動棒の先端に設けられ、前記往復駆動
により、前記押込み式直管蛍光灯器具の突合せ式ソケットの内側に押し当てることでそ
の反力で蛍光灯を突合せ式ソケットから引き抜くための突き当てローラーと、前記可動
棒の後端に設けられ、前記往復運動により、直付け式直管蛍光灯器具の突合せ式ソケッ
トの外側に掛けて引っ張ることでその反力で蛍光灯を突合せ式ソケットから引き抜くた
めのＬ字フックと、前記可動棒を前記ポールの手元で往復駆動するための第１ワイヤー
機構と、前記ポールの手元で前記一対のプレートを前記主軸周りに回転し、埋込み式直
管蛍光灯器具または直付け式直管蛍光灯器具の蛍光灯を保持するためと蛍光灯を回転さ
せて回転式ソケットから引き抜くための、第２ワイヤー機構と、を備えたことを特徴と
する蛍光灯交換器具である。
【０００６】
また、第二発明は、前記ポールの手元のステーに同軸に設けられ、ワイヤーを引っ張
るための回転プーリーを備えた二つの操作レバーによって、二本のワイヤーを介し、前
記主軸周りに前記一対のプレートを相反する回転方向に引っ張ることにより、蛍光灯を
挟み込んで保持するためと、前記二つの操作レバーの相対的な回転の動きを逆回転防止
機構によって固定させ、前記二つのワイヤーを一本に繋がったワイヤーと等価に回転作
動させることで、前記回転式ソケットに装着されている蛍光灯に対し、前記二つの操作
レバーの回転を与えて交換するための、前記第２ワイヤー機構を備えたことを特徴とす
る蛍光灯交換器具である。
【０００７】
また、第三発明は、前記ポールの手元に設けられ、ワイヤーを引っ張るための回転プ
ーリー溝を備えた操作レバーの回転をワイヤーを介して前記可動棒に与えることができ
る前記第１ワイヤー機構と、前記可動棒の先端に蝶ナットで締め付けられる前記突き当
てローラーと、前記可動棒の後端に蝶ナットで締め付けられる前記Ｌ字フックとを、前
記蝶ナットを緩めて取付角度を変えて用いることにより、前記突合せ式ソケットを備え
た前記埋込み式直管蛍光灯器具と、前記突合せ式ソケットを備えた前記直付け式直管蛍
光灯器具の双方の蛍光灯の交換ができることを特徴とする蛍光灯交換器具である。
【０００８】
また、第四発明は、前記突き当てローラーに樹脂製ローラーを用いることによって、
突合せ式ソケットを備えた前記埋込み式直管蛍光灯器具の蛍光灯を交換する際に、ころ
を利用することによって、蛍光灯器具や蛍光灯交換器具に摩擦、ねじれ等の無理な力を
与えることなく、スムースな蛍光灯の交換ができることを特徴とする蛍光灯交換器具で
ある。
【発明の効果】
【０００９】
第一発明によれば、蛍光灯のソケットの種類が突合せ式または回転式であって、また
蛍光灯器具の形状が埋込み式または直付け式であるどのタイプの組み合わせの蛍光灯器
具に対しても、蛍光灯交換器具の構成部品の一部を付け替えることなく、蛍光灯の交換
が可能である。
【００１０】
第二発明によれば、蛍光灯のソケットの種類が回転式であって、蛍光灯器具の形状が
埋込み式または直付け式である双方の蛍光灯器具に対し、蛍光灯の交換が可能である。
【００１１】
第三発明によれば、蛍光灯のソケットの種類が突合せ式であって、蛍光灯器具の形状
が埋込み式または直付け式である双方の蛍光灯器具に対し、蛍光灯交換器具の構成部品
の一部を付け替えることなく、蛍光灯の交換が可能である。
【００１２】
第四発明によれば、樹脂製ローラーを用いることによって、ソケットの種類が突合せ
式であって、蛍光灯器具の形状が埋込み式である蛍光灯器具の蛍光灯を交換する際に、
蛍光灯器具や蛍光灯交換器具に摩擦、ねじれ等の無理な力を与えることなく、スムース
な蛍光灯交換が可能である。
【図面の簡単な説明】
【００１３】
【図１】この発明の実施形態を示す斜視図である。
【図２】対象とする蛍光灯と蛍光灯器具の形状を示した図面である
【図３】図１で表せない部分を断面図によって実施形態を示す図面である。
【図４】この発明の動作の仕組みをわかりやすく示した部品展開図である。
【図５】この発明の動作の仕組みをわかりやすく示した図である。
【発明を実施するための形態】
【００１４】
この発明の実施形態を図１〜５に示す。全体構造としては、ポール３１の先端に設け
られた蛍光灯５０を保持し交換するための駆動機構に対して、ポール３１の手元に設け
られた操作レバー３、４、５の回転を、ワイヤー２４、２５、２６を介して伝達駆動す
ることによって、高所に設置された蛍光灯器具の蛍光灯の交換を可能にしている。
【００１５】
前記蛍光灯５０を保持するための仕組みを説明する。蛍光灯５０は、前記ポール３１
の先端に設けられ、主軸１７周りに回転可能なプレート７、８の間に挟み込むことで保
される。プレート７はローター１３に、プレート８はローター１４に固定されており、
ブレート７は前記ワイヤー２５に引っ張られてローター１３と共に時計回りに回転し、
プレート８は前記ワイヤー２６に引っ張られてローター１４と共に反時計回りに回転す
ることで、蛍光灯５０が挟み込まれて保持される。プレート７、８の内側およびロータ
ー１３、１４の上面には、摩擦を大きくして蛍光灯５０の保持を可能にするクッション
ゴムが貼り付けてある。
【００１６】
前記ワイヤー２５、２６は各々ワイヤーを引っ張るためのプーリー溝を備えた操作レ
バー４、５によって引っ張られる。前記操作レバー４、５は、回転方向の切り替えが可
能な逆回転防止機構３４を介してステー３０に同軸に設けられ、前記蛍光灯５０を挟み
込む際に操作レバー４は操作レバー５に対し時計回りにしか回転しないように逆回転防
止機構３４により設定ができ、蛍光灯５０の保持を弛める際は操作レバー４を操作レバ
ー５に対し反時計回りに回せるように逆回転防止機構３４の切り替えができる。操作レ
バー５は時計回りと反時計回りに４５度ずつ回転させることができ、操作レバー４は操
作レバー５の回転位置に関係なく、操作レバー５に対し９０度回転できるようになって
いる。
【００１７】
前記ワイヤー２５、２６の伝達を円滑にするため、連結軸２３の部分にワイヤーを支
えるためのプーリー２２を備えてある。またワイヤー２５、２６に弛みが生じるのを防
止するため、スプリング２８によって各ワイヤに引っ張り力がかけられている。
【００１８】
図２（ｅ）に示す前記回転式ソケット５４を備えた図２（ｂ）に示す前記埋込み式直
管蛍光灯器具５１または図２（ｃ）に示す前記直付け式直管蛍光灯器具５２の前記蛍光
灯５０を交換する仕組みを説明する。操作レバー５は回転作動範囲の中央位置と両端の
３箇所で固定できるようにロック機構が設けられており、図２（ｄ）に示す前記突合せ
式ソケット５３の蛍光灯の交換は操作レバー５を中央位置でロックして行ない、図２（
ｅ）に示す前記回転式ソケット５４の蛍光灯の交換は操作レバー５を反時計回りいっぱ
いに回した位置でロックさせてから行なう。
【００１９】
前記操作レバー５を反時計回りに回して前記プレート８を反時計回りいっぱいの４５
度傾いた位置にして前記操作レバー５の回転をロックし、その状態から操作レバー４を
時計回りに回して前記蛍光灯５０を保持し、続いて操作レバー５のロックを解除するこ
とで操作レバー４と５が一体で回転可能となり、そのまま操作レバー４を更に時計回り
に９０度回転させることで蛍光灯５０の端子が水平の向きから垂直の向きに変わり蛍光
灯５０をソケットから引き抜くことができる。
【００２０】
新しい蛍光灯を装着する際は蛍光灯の２本の端子を垂直にした状態で蛍光灯を保持し
、蛍光灯の両側の端子を回転式ソケット５４に挿入した後、上記と同様な操作手順で蛍
光灯を９０度回転させることでソケットに装着することができる。
【００２１】
図２（ｄ）に示す前記突合せ式ソケット５３を備えた図２（ｂ）に示す前記埋込み式
直管蛍光灯器具５１または図２（ｃ）に示す前記直付式直管蛍光灯器具５２の蛍光灯５
０を交換する仕組みを説明する。前記操作レバー５を回転作動範囲の中央位置にしてロ
ックし、前記操作レバー４を時計回りに回し蛍光灯５０を保持する。埋込み式直管蛍光
灯器具５１から引き抜く場合は前記突き当てローラー１を使用し、直付け式直管蛍光灯
器具５２から引き抜く場合は前記Ｌ字フック２を使用する。蛍光灯器具および蛍光灯交
換器具の損傷防止のため、突き当てローラー１のローラー部は樹脂製にしてあり、Ｌ字
フック２には蛍光灯に当てる面にクッション材が貼り付けてある。
【００２２】
図２（ｂ）に示す前記埋込み式直管蛍光灯器具５１の蛍光灯交換においては、前記突
き当てローラー１を図２（ｄ）に示す前記突合せ式ソケット５３の内側の面に押し当て
た状態で蛍光灯５０を保持し、その状態から突き当てローラー１を前進させて突合せ式
ソケット５３の内側を押すことでその反力によって蛍光灯５０を突合せ式ソケット５３
から引き抜くことができる。図２（ｃ）に示す前記直付け式直管蛍光灯器具５２の交換
においては、前記Ｌ字フック２を突合せ式ソケット５３の外側の面に引っ掛けた状態で
蛍光灯５０を保持し、その状態から前記Ｌ字フック２を引き込んで突合せ式ソケット５
３の外側の面を押すことで、その反力によって蛍光灯５０が引っ張られて蛍光灯５０を
突合せ式ソケット５３から引き抜くことができる。新しい蛍光灯装着は上記と逆の手順
によって行なうことができる。
【００２３】
前記突き当てローラー１と前記Ｌ字フック２は図３に示した通り１８０度回転させる
ことができ、使用しない方は邪魔にならないように１８０度回転させて畳んでおくこと
ができる。突き当てローラー１とＬ字フック２は前記可動棒６の両端に設けられており
、前記蛍光灯５０を保持した状態から可動棒６が軸方向に往復駆動することによって突
き当てローラー１が突き出し、Ｌ字フック２が引き込まれる。可動棒６はワイヤー２４
によって引っ張られることによって前記主軸１７の内部でスプリング２０を圧縮しなが
ら移動し、ワイヤー２４を弛めるとスプリング２０の反力で元の位置へ戻る。ワイヤー
２４は前記操作レバー３を時計回りに回転させることによって引っ張ることができる。
【００２４】
前記ワイヤー２４の伝達を円滑にするため、前記連結軸２３の部分にプーリー２１を
設けてある。またワイヤー２４の弛みを防止するため、前記操作レバー２４が必要角度
の範囲しか回らないよう操作レバー２４の内部に回り止めが設けられている。
「実施形態の効果」
この実施形態によれば、ソケットの種類が突合せ式または回転式であって、また蛍光
灯器具の形状が埋込み式または直付け式である任意の組み合わせのタイプの蛍光灯器具
において、蛍光灯交換器具の構成部品の一部を付け替えることなく蛍光灯の交換が可能
である。
また、突き当てローラー１に樹脂製ローラーを用いることによって、埋込み式の蛍光
灯器具の蛍光灯を交換する際に、蛍光灯器具や蛍光灯交換器具に摩擦、ねじれ等の無理
な力を与えることなく、スムースな蛍光等交換が可能である。
「他の実施形態」
蛍光等交換器具を必要とする使用者が交換器具に求める機能の相違、製品コスト低減
の観点等より、突き当て式ソケットを備えた蛍光灯交換器具専用、または回転式ソケッ
トを備えた蛍光灯器具専用の交換器具とするなど、この実施形態が示す機能の一部の機
能を省略して提供することも可能である。
【符号の説明】
【００２５】
１  突き当てローラー              ２  Ｌ字フック
３  操作レバーＡ                  ４  操作レバーＢ
５  操作レバーＣ                  ６  可動棒
７  プレートＡ                    ８  プレートＢ
９  クッションゴムＡ              １０  クッションゴムＢ
１１  クッションゴムＣ            １２  クッションゴムＤ
１３  ローターＡ                  １４  ローターＢ
１５  エンドプレートＡ            １６  エンドプレートＢ
１７  主軸                        １８  スライドカラーＡ
１９  スライドカラーＢ            ２０  スプリングＡ
２１  プーリーＡ                  ２２  プーリーＢ
２３  連結軸                      ２４  ワイヤーＡ
２５  ワイヤーＢ                  ２６  ワイヤーＣ
２７  スプリングフック            ２８  スプリングＢ
２９  ステーＡ                    ３０  ステーＢ
３１  ポール                      ３２  蝶ナットＡ
３３  蝶ナットＢ                  ３４  逆回転防止機構
５０  蛍光灯                      ５１  埋込み式直管蛍光灯器具
５２  直付け式直管蛍光灯器具      ５３  突合せ式ソケット
５４  回転式ソケット
【図１】
2014086160.tif 000003
【図２】
2014086160.tif 000004
【図３】
2014086160.tif 000005
【図４】
2014086160.tif 000006
【図５】
2014086160.tif 000007